(57)【要約】【課題】  本発明は、ＩＰ網等を含む通信手段を用いた地上デジタル放送等のデジタル放送の再送信において必要な帯域幅を従来よりも削減することができるデジタル放送の再送信装置を提供する。【解決手段】再送信装置１００は、ＳＩ抽出部１０３と、ＳＩ−ＢＭＬ変換部１０５と、ＥＰＧ蓄積部１０７と、ＥＰＧ情報配信サーバ１０９とデータ多重部１１３を備え、抽出したＥＰＧ情報はＥＰＧ情報配信サーバ１０９で配信し、ＥＰＧ情報へのリンク情報を再送信するデジタル放送信号に多重する。【選択図】図１
2007166409.tif 000002
【特許請求の範囲】
【請求項１】
第１の通信手段よりデジタル放送波を受信し、前記デジタル放送波に含まれるデジタル放送信号を第２の通信手段に再送信するデジタル放送再送信装置であって、
前記デジタル放送信号に含まれる番組編成情報を、前記デジタル放送信号より抽出する情報抽出手段と、
前記番組編成情報を所定の符号化方式で符号化する情報符号化手段と、
前記符号化された番組編成情報を記憶する符号化情報蓄積手段と、
前記符号化された番組編成情報を、前記第２の通信手段により配信する符号化情報配信手段と、
前記デジタル放送信号に含まれるＰＭＴを検出し、前記ＰＭＴを再構成するＰＭＴ検出手段と、
前記符号化された番組編成情報を取得するためのリンク情報を、前記デジタル放送信号に多重するデータ多重手段と、
前記リンク情報が多重された前記デジタル放送信号を、前記第２の通信手段に再送信する再送信手段を有するデジタル放送再送信装置。
【請求項２】
前記情報抽出手段は、前記番組編成情報を前記デジタル放送信号から分離し、取り除き、前記データ多重手段は、前記番組編成情報が取り除かれたデジタル放送信号に前記リンク情報を多重し、前記再送信手段は、前記番組編成情報が取り除かれ前記リンク情報が多重されたデジタル放送信号を再送信することを特徴とする請求項１に記載のデジタル放送再送信装置。
【請求項３】
さらに、前記デジタル放送信号に含まれるＮＵＬＬパケットを検出するＮＵＬＬパケット検出手段を備え、
前記データ多重手段は、前記ＮＵＬＬパケット検出手段が検出した前記ＮＵＬＬパケットの少なくとも一部と、前記リンク情報の少なくとも一部とを置換することを特徴とする請求項１または２に記載のデジタル放送再送信装置。
【請求項４】
前記所定の符号化方式は、ＢＭＬであることを特徴とする請求項１に記載のデジタル放送再送信装置。
【請求項５】
前記第１の通信手段は、地上デジタル放送であり、前記第２の通信手段は、ＩＰ網であることを特徴とする請求項１に記載のデジタル放送再送信装置。
【発明の詳細な説明】
【技術分野】
【０００１】
本発明は、デジタル放送の再送信装置に関する。本発明は特に、ＩＰ(Internet Protocol)ネットワーク（以下、ＩＰ網と記す。）を用い、地上デジタル放送等のデジタル放送信号を、再送信に必要な帯域幅を圧縮して再送信するデジタル放送再送信装置に関する。
【背景技術】
【０００２】
近年、地上デジタル放送も開始され、我が国における放送のデジタル化は着実な進展を遂げている。また、ケーブルテレビ（以下、ＣＡＴＶと記す。）網へデジタル放送信号を再送信するサービスも実現されており、ＣＡＴＶ加入者もデジタル放送の提供するサービスを受信することができる。
【０００３】
例えば地上デジタル放送をＣＡＴＶ網へ再送信する場合、ＣＡＴＶでの１伝送チャネル当たりの帯域幅は、地上デジタル放送の１伝送チャネル当たりの帯域幅よりも広いため、変調方式をＣＡＴＶに適した変調方式に変換し、デジタル放送信号中の番組配列情報を一部変更するのみで、地上デジタル放送に含まれる全ての信号をそのままＣＡＴＶ網に伝送できる。よって、ＣＡＴＶ網で地上デジタル放送のすべてのサービスを伝送することは比較的容易である。デジタル放送をＣＡＴＶ網へデジタル再送信するための変調方式は複数存在するが、例えば、非特許文献１は、トランスモジュレーション（変調変換）方式を用いた地上デジタル放送のＣＡＴＶ網への再送信方法を開示する。
【０００４】
また、このような、情報の再送信サービスに加え、インターネット網を利用した電子番組案内の提供サービスにおいて、番組情報の変更にリアルタイムに対応でき、かつ、拡張性があり表現力が豊かな電子番組案内を提供するサービスも実現されている。特許文献１はそのようなサービスの例を開示する。この、特許文献１の開示するサービスは、番組情報の変更に即時的に対応可能な、静止画や動画などを用いた表現力豊かなマルチメディア電子番組案内の提供である。以下、図１１を参照し、特許文献１の開示する技術内容を概説する。
【０００５】
図１１は、特許文献１の開示する発明の実施形態例である放送システムを示すブロック図である。この放送システム１０００は、送出システム１１１０と、受信システムである受信機１１１２を含む。
【０００６】
送出システム１１１０は、外部の番組編成情報提供会社１１０８や放送波１１０９などから番組編成情報を取得する番組編成情報取得手段１１０１と、指定された符号化方式により、取得した番組編成情報を符号化する番組編成情報符号化手段１１０２と、符号化されたデータ（符号化番組編成情報）を伝送する伝送手段１１０３を備える。
【０００７】
受信機１１１２は、送出システム１１１０から伝送される符号化番組編成情報を受信し、当該情報を復号化し出力する番組編成情報受信手段１１０４と、臨時ニュースやスポーツ放送の延長などによりリアルタイムに更新される番組内容、番組開始時間、および継続時間等を記述した情報（特許文献１においては「番組制御情報」と称される。）を放送波等より受信する番組制御情報受信手段１１０５と、番組編成情報や番組制御情報を記憶する記憶装置１１１３と、番組制御情報の内容から番組編成情報の内容を更新するマージ手段１１０６と、更新された番組編成情報を表示する番組編成情報表示手段１１０７を備える。
【０００８】
次に、送出システム１１１０が符号化番組編成情報を送出するまでの動作について説明する。
【０００９】
番組編成情報取得手段１１０１は、番組編成情報提供会社１１０８や放送波１１０９などから番組編成情報を取得する。
【００１０】
上記の番組編成情報のうち、番組編成情報提供会社１１０８から提供される番組編成情報である会社提供番組編成情報は、テキストデータのみならず、動画データ、静止画データ、音声データ等の各種モノメディアデータと、これらモノメディアデータを用いて多彩な表現を実現するマルチメディアＥＰＧアプリケーションの雛形を含む。この、マルチメディアＥＰＧアプリケーションの雛形は後述する番組編成情報符号化手段１１０２が、マルチメディアＥＰＧアプリケーションを作成するために必要な情報を保持する。また、放送波１１０９から得られる番組編成情報である放送波番組編成情報は、例えば、ＢＳデジタル放送の全局ＳＩ、各局ＳＩといったＳＩを含む。ここで、ＳＩとは、サービス・インフォメーション（番組配列情報）を指す。
【００１１】
番組編成情報取得手段１１０１の取得した番組編成情報は、番組編成情報符号化手段１１０２に渡される。
【００１２】
番組編成情報符号化手段１１０２は、渡された番組編成情報に含まれる、マルチメディアＥＰＧアプリケーションの雛形および各種モノメディアデータならびにＳＩ等から、マルチメディアＥＰＧアプリケーションを自動的に作成する。ここで、例えばＢＳ(Broadcast Satellite)デジタル放送の場合、マルチメディアＥＰＧアプリケーションは、ＢＭＬに符号化される。
【００１３】
作成されたマルチメディアＥＰＧアプリケーションは、伝送手段１１０３に渡される。
【００１４】
伝送手段１１０３は、使用する伝送方式に基づき、渡された符号化データ（符号化されたマルチメディアＥＰＧアプリケーション）を送出する。例えば、ＢＳデジタル放送の場合、独立型データ放送番組として送出される。インターネット１１２１の場合は、符号化データは、Ｗｅｂサーバに登録される。
【００１５】
次に、受信機１１１２が送出システム１１１０から送出された符号化されたマルチメディアＥＰＧアプリケーションを受信した時の動作を説明する。
【００１６】
番組編成情報受信手段１１０４は、番組編成情報として送出システム１１１０から送出された符号化されたマルチメディアＥＰＧアプリケーションを取得する。番組編成情報受信手段１１０４は、符号化されたマルチメディアＥＰＧアプリケーションを復号し、記憶装置１１１３に送り、これを受け取った記憶装置１１１３は、送られたマルチメディアＥＰＧアプリケーションを記憶する。
【００１７】
この、符号化されたマルチメディアＥＰＧアプリケーションの取得方法は伝送プロトコルに依存する。例えばＢＳデジタル放送の場合は、独立型データ放送番組を受信することで実現される。また、インターネットなどの場合は、番組編成情報受信手段１１０４が、マルチメディアＥＰＧアプリケーションデータを格納するＷｅｂサーバに対し定期的にアクセスし、データをダウンロードすることで実現される。
【００１８】
一方、番組制御情報受信手段１１０５は、番組制御情報を放送波等より受信する。受信した番組制御情報は記憶装置１１１３に送られ、記憶装置１１１３はこれを記憶する。
【００１９】
一般に、番組編成情報受信手段１１０４が取得するデータは、静止画、動画、音声などが含まれているので、そのデータ量は、番組制御情報１１１１に比べて大きい。そのため、番組編成情報受信手段１１０４は１日に数回、決められた時間にデータを取得し、取得されたデータは受信機１１１２内の記憶装置１１１３に蓄積される。上記データの取得は、例えば、ＢＳデジタル放送の場合、１日に数回、マルチメディアＥＰＧアプリケーションを放送する独立型データ放送番組を放送することで実現する。また、インターネットなどの場合、番組編成情報受信手段１１０４が１日に数回、マルチメディアＥＰＧアプリケーションデータが格納されているＷｅｂサーバにアクセスすることで上記データの取得を実現する。
【００２０】
これに対し、番組制御情報受信手段１１０５が受信する番組制御情報１１１１のデータ量は、上述のマルチメディアＥＰＧアプリケーション（番組編成情報）のデータ量に比べて小さい。また、番組制御情報１１１１は、放送番組の変更にリアルタイムで対応するためのデータであるため、常に最新の番組に関する情報が周期的に送出されている。ＢＳデジタル放送の場合、ＳＩ信号等に番組制御情報が含まれることがある。そのため、番組制御情報受信手段１１０５は、周期的に送られてくる番組制御情報１１１１を常時監視し、これを取得し、番組制御情報１１１１が更新されていれば、記憶装置１１１３に送り、記憶装置１１１３は、その都度番組制御情報１１１１を記憶し、蓄積する。
【００２１】
マージ手段１１０６は、マルチメディアＥＰＧアプリケーションと番組制御情報を比較し、差分があればマルチメディアＥＰＧアプリケーションに番組制御情報の内容を反映させる。それによって、マルチメディアＥＰＧアプリケーションは最新の情報となる。
【００２２】
番組編成情報表示手段１１０６は、最新の状態のマルチメディアＥＰＧアプリケーションをマージ手段１１１３より受け取り、これを表示する。
【００２３】
以上のように、非特許文献１は、地上デジタル放送などの放送サービスと同様の放送サービスをＣＡＴＶにおいても受信可能とする。また、特許文献１に記載の放送システム１０００は、受信機１１１２に保持させたＥＰＧ等の付加情報の雛形と、インターネット等の通信網から提供される付加情報を受信機１１１２でマージすることにより、さまざまな情報提供サービスを実現する。よって、ＣＡＴＶ網を用いたデジタル放送サービスの提供、およびそれに加えてインターネット等の通信網を利用したＥＰＧなどの付加情報サービスの提供が可能である。
【００２４】
上述のように、ＣＡＴＶ網は比較的広帯域の通信インフラを備えているため、デジタル放送サービスの再送信を行う上での障壁は、比較的低いと言える。
【００２５】
その一方で、現在、２０１１年の地上アナログ放送の終了に備え、地上デジタル放送の電波が届かない地域などを対象にＩＰ網を利用した地上デジタル放送の再送信サービスが検討されている。近年、ＦＴＴＨ(Fiber To The Home)などブロードバンド環境が各家庭にも普及しつつあるが、地上デジタル放送のすべてのサービスを、ＩＰ網を使って再送信するには、かなりの広さの帯域が必要である。例えば関東地域においては、広域放送に限っても８つの放送局があり、それぞれの放送が２３Ｍｂｐｓ程度の情報量を有する。
【００２６】
従来のトランスモジュレーション方式をそのままＩＰ網へ適用した場合、それぞれの情報量の合計が地上デジタル放送の再送信に必要な帯域となる。そのため、再送信には合計で２００Ｍｂｐｓ程度の帯域が必要になる。さらに、上記広域放送に加え隣接する地域の放送の再送信、ならびに地上デジタル放送以外例えばＢＳデジタル放送およびＣＳ(Communication Satellite)デジタル放送等も再送信する場合、さらに多くの帯域が必要である。ブロードバンド環境の普及が進む昨今の状況を考慮しても、放送の再送信に必要な帯域幅をできる限り抑制することが望まれる。
【００２７】
また、従来の方式では、ＥＰＧ等付加情報の提供に関し、放送中に含まれるＥＰＧ情報はそのまま伝送し、それに加える情報（例えば、上述の番組制御情報等）を、ＩＰ網といった通信網を利用して提供する。そのため、デジタル放送の再送信に必要な帯域幅を削減するような効果はない。また、ＥＰＧ以外の付加情報サービス即ち番組に関連する情報の提供サービスを実施する場合でも、ＩＰ網を利用して情報提供を行うならばできる限りの帯域削減が望まれる。さらには、受信機のソフトウェア等を、この方式に対応させる必要もある。
【特許文献１】特開２００１−３５８６７２号公報
【非特許文献１】日本ケーブルラボ、「ＪＣＬ  SPEC-007  1.0版  地上デジタルテレビジョン放送トランスモジュレーション運用仕様」、（日本）
【発明の開示】
【発明が解決しようとする課題】
【００２８】
本発明は、ＩＰ網等を含む通信手段を用いた地上デジタル放送等のデジタル放送の再送信において必要な帯域幅を従来よりも削減することができるデジタル放送の再送信装置を提供する。
【００２９】
また、本発明は、ＩＰ網を用いた地上デジタル放送等デジタル放送信号再送信において、従来よりも狭い帯域幅でＥＰＧ情報等の番組編成情報の配信を可能とするデジタル放送の再送信装置を提供する。
【課題を解決するための手段】
【００３０】
本発明は、その一態様において、第１の通信手段よりデジタル放送波を受信し、デジタル放送波に含まれるデジタル放送信号を第２の通信手段に再送信するデジタル放送再送信装置であって、デジタル放送信号に含まれる番組編成情報を、デジタル放送信号より抽出する情報抽出手段と、番組編成情報を所定の符号化方式で符号化する情報符号化手段と、符号化された番組編成情報を記憶する符号化情報蓄積手段と、符号化された番組編成情報を、第２の通信手段により配信する符号化情報配信手段と、デジタル放送信号に含まれるＰＭＴを検出し、ＰＭＴを再構成するＰＭＴ検出手段と、符号化された番組編成情報を取得するためのリンク情報を、デジタル放送信号に多重するデータ多重手段と、リンク情報が多重されたデジタル放送信号を、第２の通信手段に再送信する再送信手段を有するデジタル放送再送信装置である。
【００３１】
本発明の一態様においては、情報抽出手段は、番組編成情報をデジタル放送信号から分離し、取り除き、データ多重手段は、番組編成情報が取り除かれたデジタル放送信号にリンク情報を多重し、再送信手段は、番組編成情報が取り除かれリンク情報が多重されたデジタル放送信号を再送信することが望ましい。
【００３２】
本発明の一態様においては、さらに、デジタル放送信号に含まれるＮＵＬＬパケットを検出するＮＵＬＬパケット検出手段を備え、データ多重手段は、ＮＵＬＬパケット検出手段が検出したＮＵＬＬパケットの少なくとも一部と、リンク情報の少なくとも一部とを置換することが望ましい。
【００３３】
本発明の一態様においては、所定の符号化方式は、ＢＭＬであることが望ましい。
【００３４】
本発明の一態様においては、第１の通信手段は、地上デジタル放送であり、第２の通信手段は、ＩＰ網であることが望ましい。
【発明の効果】
【００３５】
本発明にかかるデジタル放送再送信装置は、通信手段である地上デジタル放送などのデジタル放送を、別の通信手段であるＩＰ網を利用して再送信する場合に必要な帯域幅を削減するという効果を有する。
【００３６】
また、本発明のデジタル放送再送新装置は、従来よりも狭い帯域幅でＥＰＧ情報等の番組編成情報を配信可能という効果を有する。
【発明を実施するための最良の形態】
【００３７】
以下、本発明の実施の形態を、添付の図面を参照しながら説明する。
【００３８】
（実施の形態１）
図１は、本発明の実施の形態１によるデジタル放送再送信装置（以下、再送信装置と略す。）の構成を示すブロック図である。
【００３９】
図１において、再送信装置１００は、デジタル放送波を受信し、受信したデジタル放送信号を、ＩＰ網等に対し再送信するデジタル放送再送信装置である。
再送信装置１００は、地上デジタル放送等のデジタル放送波を受信するチューナ部１０１と、デジタル放送波により伝送されるデジタル放送信号に含まれるＳＩ(Service Information)情報を抽出するＳＩ抽出部１０３と、ＳＩ抽出部１０３で抽出したＳＩ情報をＢＭＬ符号化するＳＩ−ＢＭＬ変換部１０５と、ＢＭＬ符号化ＳＩ情報をＥＰＧ情報として蓄積するＥＰＧ蓄積部１０７と、ＥＰＧ蓄積部１０７に蓄積したＥＰＧ情報（ＢＭＬ符号化ＳＩ情報等）をＨＴＴＰ(Hyper Text Transfer Protocol)で配信するＥＰＧ情報配信サーバ１０９と、デジタル放送信号に含まれるＰＭＴ（番組対応テーブル(Program Map Table)）を検出するＰＭＴ検出部１１１と、ＩＰ網１１９に接続されたＥＰＧ情報配信サーバ（ＷＥＢサーバ）１０９およびＥＰＧ情報配信サーバ１０９内に蓄積されるデータにアクセスするためのリンク情報に関するデータを蓄積するＢＭＬデータ蓄積部１１５と、デジタル放送信号にＢＭＬデータ蓄積部１１５に蓄積されたリンク情報を多重するデータ多重部１１３と、デジタル放送信号をＩＰパケット化し、ＩＰ網１１９へ再送信するＩＰ送信部１１７と、を有する。
【００４０】
なお、図１においてＥＰＧ蓄積部１０７およびＥＰＧ情報配信サーバ１０９を、再送信装置１００の外部装置として示したが、ＥＰＧ蓄積部１０７およびＥＰＧ情報配信サーバ１０９を、再送信装置１００の内部装置としてもよい。
【００４１】
本明細書においてデジタル放送は、通信手段の１つとする。デジタル放送波は、地上デジタル放送波、ＢＳデジタル放送波、ＣＳデジタル放送波等を含み、さらに、ＣＡＴＶ網等により伝送される放送波も含む。デジタル放送信号は、上記のデジタル放送波の伝送する全ての信号を含む。
【００４２】
本発明のデジタル放送再送信装置が再送信を行う通信手段は、インターネット・プロトコルを用いた通信網であるＩＰ網を含むが、これに限定されない。電波を用いた通信手段を用いて再送信することも可能である。
【００４３】
チューナ部１０１は、デジタル放送再送信装置の放送波受信手段である。放送波受信手段は、アンテナ等を備えることができ、空気中を伝播する放送波を受信することができ、または、所定の伝送網もしくは通信網に接続し、伝送網もしくは通信網中を伝送されるデジタル放送波を受信することもできる。また、放送波受信手段は、再送信を行う通信手段であるＩＰ網（再送信用ＩＰ網）の帯域幅と同等もしくはさらに広い帯域幅を有するＩＰ網（受信用ＩＰ網）からデジタル放送信号を受信することができる。その場合、再送信装置は、受信したデジタル放送信号を、再送信用ＩＰ網へ再送信することができる。
【００４４】
ＳＩ抽出部１０３は、デジタル放送再送信装置の情報抽出手段である。情報抽出手段の抽出する情報には、番組編成情報が含まれる。番組編成情報には、ＳＩ（番組配列情報）が含まれる。
【００４５】
ＳＩ−ＢＭＬ変換部１０５は、デジタル放送再送信装置の情報符号化手段である。
【００４６】
ＥＰＧ蓄積部１０７は、デジタル放送再送信装置の符号化情報蓄積手段である。
【００４７】
ＥＰＧ情報配信サーバ１０９は、デジタル放送再送信装置の符号化情報配信手段である。符号化情報には、ＥＰＧ（番組情報案内）の情報が含まれ、符号化情報配信手段は、ＨＴＴＰの規約に則ってＥＰＧ情報を配信することが可能である。
【００４８】
ＰＭＴ検出部１１１は、デジタル放送再送信装置のＰＭＴ検出手段である。
【００４９】
ＢＭＬデータ蓄積部１１５は、デジタル放送再送信装置の情報蓄積手段である。
【００５０】
データ多重部１１３は、デジタル放送再送信装置のデータ多重手段である。
【００５１】
ＩＰ送信部１１７は、デジタル放送再送信装置の再送信手段である。
【００５２】
これより、以上のように構成された本発明の実施の形態１によるデジタル放送再送信装置の動作について説明する。先ず概説すれば、再送信装置１００は、デジタル放送信号に含まれるＳＩ情報を分離し、抽出し、さらに、抽出したＳＩ情報をＢＭＬ符号化してＥＰＧ情報として蓄積する。デジタル放送信号には、ＥＰＧ情報配信サーバ１０９に蓄積されたＥＰＧ情報へのリンクを示すリンク情報を多重して再送信する。
【００５３】
再送信装置１００の動作について図を参照して詳述する。図２は、チューナ部１０１の受信したデジタル放送波に含まれるデジタル放送信号を、ＳＩ抽出部１０３がチェックし、デジタル放送信号からＳＩ情報を分離し、抽出し、ＳＩ−ＢＭＬ変換部１０５が、抽出されたＳＩ情報をＢＭＬ符号化するまでの処理に関するフローチャートである。
【００５４】
チューナ部１０１は、デジタル放送波を受信し、受信したデジタル放送波のデジタル放送信号をＳＩ抽出部１０３に送る（ステップＳ１０１）。ここでは、デジタル放送信号は、例えばＭＰＥＧ−２ＴＳといった所定のプロトコルに従ったデータ列（ストリーム）を有するものとするが、その他の伝送規約（もしくは通信規約）（プロトコル）に則った信号であってもよい。
【００５５】
ＳＩ抽出部１０３は、送られてきたデジタル放送信号のＴＳ（トランスポート・ストリーム(Transport Stream)）パケットのＰＩＤ（パケット識別子(Packet Identifier)）をチェックする。ＳＩ抽出部１０３は、各ＴＳパケットのＰＩＤがＳＩ情報を示しているかどうか個々に判別する（ステップＳ１０３）。
【００５６】
ここで、ＳＩ情報とは、サービス・インフォメーション（番組配列情報）である。具体的には、ＳＩ情報とは、デジタル放送信号に含まれるＥＩＴ(Event Information Table)またはＳＤＴ(Service Description Table)等である。
【００５７】
各ＴＳパケットのＰＩＤは、地上デジタル放送では、ＥＩＴは０ｘ００１２（Ｈ−ＥＩＴ）、０ｘ００２６（Ｍ−ＥＩＴ）、０ｘ００２７（Ｌ−ＥＩＴ）と、またＳＤＴは０ｘ００１１と規定されている。ＳＩ抽出部１０３は、これをチェックする。即ち、ＴＳパケットのＰＩＤが、０ｘ００１２、０ｘ００２６、０ｘ００２７、もしくは０ｘ００１１であるか、またはそれら以外かをチェックし、判定を行う。なお、上記以外のＰＩＤを判定基準に加え、ＥＩＴおよびＴＤＳ以外のテーブルの存在を判定することも可能である。
【００５８】
ステップＳ１０３の判定において、ＳＩ抽出部１０３が、ＴＳパケットはＳＩ情報を含むパケットであると判定した場合、処理はステップＳ１０５に進む。ステップＳ１０５で、ＳＩ抽出部１０３は、ＳＩ情報を含むＴＳパケットの分離処理を行う。
【００５９】
次に、ＳＩ抽出部１０３は、抽出した（ＳＩ情報を含む）ＴＳパケットに対し、セクション解析（セクション化）を行い、ＴＳパケットに含まれるＳＩ情報を抽出する（ステップＳ１０７）。
【００６０】
次に、ＳＩ抽出部１０３は、ＥＩＴまたはＳＤＴの構造に基づいてセクション化されたデータ（ＳＩ情報）のバージョン情報を取得する（ステップＳ１０９）。ここで、ＳＩ抽出部１０３は、テーブル（Ｈ−ＥＩＴ、Ｍ−ＥＩＴ、Ｌ−ＥＩＴ、ＳＤＴ等）について、それぞれ最後に受信したテーブルのバージョン情報を記憶することができる。ＳＩ抽出部１０３は、今回受信し、現在解析しているテーブルのバージョン情報と、同一のテーブルであって最後に受信したテーブルのバージョン情報とを比較する。比較により、今回受信したテーブルは、最後に受信した同一テーブルを更新するテーブルである（今回受信したテーブルのバージョンは、最後に受信した同一種のテーブルのバージョンと異なる）ことが判明した場合（ステップＳ１１１の「更新あり」）、ステップＳ１１３に進む。また、更新なし（今回受信したテーブルのバージョンは、最後に受信した同一種のテーブルのバージョンと等しい）と判明した場合（ステップＳ１１１の「更新なし」）、以後の処理は行われない。なお、最後に受信した同一テーブルのバージョン情報が記憶されていない場合、ステップＳ１１３に進んでよい。
【００６１】
ステップＳ１１３においては、ＳＩ抽出部１０３は、今回受信したテーブルのデータをＳＩ情報として、ＳＩ−ＢＭＬ変換部１０５に送る。
【００６２】
ＳＩ−ＢＭＬ変換部１０５は、ＳＩ抽出部１０３から送られるＳＩ情報を受け、受けたＳＩ情報をＢＭＬ符号化（ＳＩ−ＢＭＬ符号化）する（ステップＳ１１５）。
【００６３】
ＳＩ−ＢＭＬ変換部１０５は、ＥＰＧ蓄積部１０７へ、ＢＭＬ符号化されたＳＩ情報（符号化ＳＩ情報（符号化番組配列情報））を送る（ステップＳ１１７）。
【００６４】
ＥＰＧ蓄積部１０７は、符号化ＳＩ情報を受け取り、受け取った符号化ＳＩ情報を蓄積（記憶）する（ステップＳ１１９）。
【００６５】
以上の処理により、ＥＰＧ蓄積部１０７の記憶する情報は、常に最新の状態に保たれる。なぜならば、デジタル放送信号から抽出した情報により常時、リアルタイムに情報を更新可能だからである。これにより、ＥＰＧ蓄積部１０７は、常に最新のＢＭＬ符号化番組配列情報（符号化ＳＩ情報）を、ＢＭＬ符号化されたＥＰＧ情報（電子番組案内情報）として提供するデータベース（以下、ＤＢと記す。）として機能することができる。
【００６６】
以上、再送信装置１００によるデジタル放送波の受信から、最新のＳＩ情報を含むＥＰＧ情報を保持し続けるＤＢの構築までの流れを説明した。
また、本再送信装置１００は、デジタル放送信号の再送信において、受信したデジタル放送信号を一部再構成することで、再送信に必要な帯域幅を狭くすることが可能となる。再構成により除去された情報は、先のＤＢを適切に利用することにより提供される。以下、再送信装置１００によるデジタル放送信号の再構成および再送信について説明する。
【００６７】
図３は、新たなデータが多重されたデジタル放送信号を再送信するまでの処理に関するフローチャートである。ここで新たなデータとは、ＳＩ信号を分離し取り除いたデジタル放送信号に多重される、ＩＰ網等により配信されるＥＰＧ情報へアクセスするためのリンク情報が記述されたＢＭＬデータを指す。なお、図２に示した処理と重複する部分については簡単な説明をするに留め、リンク情報の多重およびデジタル放送信号の再送信について詳述する。
【００６８】
上記の、図２で示したように、チューナ部１０１は、受信したデジタル放送信号をＳＩ抽出部１０３に送る（ステップＳ１０１）。
【００６９】
ＳＩ抽出部１０３は、図２のステップＳ１０３、Ｓ１０５、Ｓ１０７、およびＳ１０９と同様にデジタル放送信号のＴＳパケットのＰＩＤをチェックし、そのＴＳパケットにＳＩ情報が含まれるか否かをチェックし、ＳＩ情報が含まれると判定した場合、そのＴＳパケットを分離し、抽出し、セクション解析を行い、ＥＩＴまたはＳＤＴ等のテーブルのバージョン情報を取得する。（ステップＳ１２１）。ここで、ＴＳパケットの分離・抽出が行われた場合（ＰＩＤがＳＩ情報を示す場合）、デジタル放送信号は、ＳＩ情報を含むＴＳパケットが取り除かれた状態で以降の処理に供される。なお、図３のステップＳ１２１は、図２のステップＳ１０３、Ｓ１０５、Ｓ１０７、およびＳ１０９と同等の処理を含むものとする。
【００７０】
ＳＩ抽出部１０３は、図２のステップＳ１１１およびＳ１１３と同様にバージョン情報を最後に受信したバージョン情報と比較し、更新有りと判定した場合、今回抽出したＥＩＴまたはＳＤＴ等のテーブル・データをＳＩ情報としてＳＩ−ＢＭＬ変換部１０５に送る。ＳＩ情報を受けたＳＩ−ＢＭＬ変換部１０５は、図２のステップＳ１１５およびＳ１１７と同様に、ＳＩ情報をＢＭＬ符号化し、符号化ＳＩ情報をＥＰＧ蓄積部１０７へ送る。符号化ＳＩ情報を受けたＥＰＧ蓄積部１０７は、図２のステップＳ１１９と同様に、符号化ＳＩ情報を蓄積する（ステップＳ１２３）。なお、図３のステップＳ１２３は、図２のステップＳ１１１、Ｓ１１３、Ｓ１１５、Ｓ１１７、およびＳ１１９と同等の処理を含むものとする。
【００７１】
次に、ＳＩ情報を取り除かれたデジタル放送信号は、ＰＭＴ検出部１１１に送られる（ステップＳ１２５）。
【００７２】
ＰＭＴ検出部１１１は、ＴＳパケットのＰＩＤをチェックする（ステップＳ１２７）。ＴＳパケットのＰＩＤがＰＡＴ（番組統合テーブル(Program Association Table)）を指すものであれば、そのＰＡＴのセクション解析を行い、ＰＡＴの内容を参照し、ＰＭＴのＰＩＤを取得する。ここで、ＰＡＴのＰＩＤは、０ｘ００００と規定されている。よって、ＰＭＴ検出部１１１は、ステップＳ１２７においては、ＴＳパケットのＰＩＤが０ｘ００００であるか否かを判定する。ＴＳパケットがＰＡＴを含むと判定されると、ステップＳ１２９に進む。ＰＡＴを含まないと判定した場合、ステップＳ１３１に進む。
【００７３】
ステップＳ１２９では、ＰＭＴ検出部１１１は、そのＴＳパケットのＰＡＴを参照し、ＰＭＴ（番組対応テーブル(Program Map Table)）のＰＩＤを取得する。
【００７４】
次に、ＰＭＴ検出部１１１は、ＰＡＴより取得したＰＭＴのＰＩＤに基づき、ＴＳパケットに含まれるＰＭＴの抽出を行う（ステップＳ１３１、Ｓ１３３）。本説明では、先のＰＡＴの参照により、ＰＭＴのＰＩＤが０ｘＸ４Ｘ３Ｘ２Ｘ１で（Ｘｊ（ｊ＝１，２，３，４）は、それぞれ（１６進）０〜Ｆ。）であることが判ったとする。当然のことだが、ＰＭＴのＰＩＤが複数存在してもよい。その場合、ＰＭＴ検出部１１１は、ＰＭＴを指すＰＩＤの全てを記憶することができる。
【００７５】
ＰＭＴ検出部１１１は、ＴＳパケットのＰＩＤをチェックしＴＳパケットがＰＭＴを示しているかどうか個々に判定する（ステップＳ１３１）。つまり、ＰＭＴ検出部１１１は、ＴＳパケットのＰＩＤが、０ｘＸ４Ｘ３Ｘ２Ｘ１であるか、またはそれ以外かをチェックし判定を行う。
【００７６】
ステップＳ１３１の判定において、ＰＭＴ検出部１１１が、ＴＳパケットはＰＭＴを含むパケットであると判定した場合、処理はステップＳ１３３に進む。ＰＭＴを含まないと判定した場合、処理はステップＳ１３５ｂに進む。
【００７７】
ステップＳ１３３において、ＰＭＴ検出部１１１は、検出したＰＭＴに対し、データＥＳ(Elementary Stream)をデジタル放送信号に追加するための処理を行う。具体的には、ステップＳ１１５でＢＭＬ符号化され、ステップＳ１１９でＥＰＧ蓄積部１０７に蓄積されたＥＰＧ情報へアクセスするためのリンク情報をデータＥＳとしてデジタル放送信号に追加するための処理をＰＭＴに対して行う。このＰＭＴへのデータＥＳ追加処理は、ＰＭＴの第２ループにデータＥＳのＰＩＤを追加記述し、さらにデータ符号化記述子をそのＰＩＤに関連付けて設定するものである。さらに、ＰＭＴの内容を変更したので再度テーブルを再構築し（セクション長再計算、ＣＲＣ３２再計算）ＴＳパケット化を行う。
【００７８】
次に、ＰＭＴ検出部１１１は、データ多重部１１３へＴＳパケットを送る（ステップＳ１３５ａ）。ステップＳ１３５ｂも、ステップＳ１３５ａと同様にＴＳパケットをデータ多重部へ送る。但し、ステップＳ１３５ｂの後、処理はステップＳ１３９へ進む。
【００７９】
ＴＳパケットを受けたデータ多重部１１３はあらかじめＢＭＬデータ蓄積部１１５に蓄積しておいたリンク情報を、データＥＳとして再送信するデジタル放送信号に多重する（ステップＳ１３７）。具体的にはリンク情報は、例えばＢＭＬ文書で
ｂｒｏｗｓｅｒ．ｌａｕｎｃｈＤｏｃｕｍｅｎｔ（“ｈｔｔｐ：／／ｓｅｒｖｅｒアドレス／ｅｐｇ／ｉｎｄｅｘ．ｂｍｌ”）
と記述することができる。
【００８０】
上記処理と併せて、再送信装置１００は、これまでにＳＩ情報を分離（図２ステップＳ１０５および図３ステップＳ１２１参照。）し、更にデータＥＳを多重（図３ステップＳ１３７参照。）しているため、ＰＣＲ（プログラム時刻基準値情報(Program Clock Reference)）補正処理を行う（ステップＳ１３９）。
【００８１】
データＥＳを多重し、ＰＣＲ補正処理を行ったＴＳパケットは、順次ＩＰ送信部１１７へ送られる（ステップＳ１４１）。
【００８２】
ＩＰ送信部１１７は、受けたＴＳパケット（デジタル放送信号）をＩＰパケット化し、ＩＰ網１１９へ再送信する（ステップＳ１４３）。
【００８３】
リンク情報は、上記のように全てのＰＭＴを編集し、データ多重される。よって、地上デジタル放送のどのサービスを視聴していても、例えば地上デジタル放送用受信機のリモコン上にあるＤボタン（データ放送起動用ボタン）を押せば、ＥＰＧ情報配信サーバ１０９に情報を要求し、取得し、ＥＰＧを表示させることができる。
【００８４】
図４はこのようにして送信した再送信信号を受信した受信機（ＳＴＢ）でのＥＰＧ表示例である。画面１２１は、複数の領域に区分けされている。
【００８５】
このように、番組を視聴中に地上デジタル放送のリモコン上にあるＤボタンなどを押下することで、番組視聴画面１２３を表示するとともに、ＥＰＧ情報１２５を画面上に表示することができる。
【００８６】
図５は、上記処理により削減されるデジタル放送信号再送信に必要な帯域幅を示す模式図である。
チューナ部１０１の受信したデジタル放送信号（受信信号）１５１ａは、選局情報などのＰＳＩ情報１５３ａと、ＥＰＧ情報などのＳＩ情報１５５と、番組１５７ａ、１５７ｂ、  ．．．  、１５７ｎを含む。他方、ＩＰ送信部１１７から再送信されるデジタル放送信号（再送信信号）１５１ｂは、先に示したとおりＰＭＴ情報が変更されたＰＳＩ情報１５３ｂと、受信信号１５１ａに含まれるものと同じ番組１５７ａ、１５７ｂ、  ．．．  、１５７ｎと、新たに多重処理したリンク情報１５９を含む。
【００８７】
受信信号１５１ａに含まれるＳＩ情報１５５は、番組毎に用意され、データ量も大きく、送信の周期も短い。他方、再送信信号１５１ｂは、ＳＩ情報１５５を含まず、代わりにリンク情報１５９を含む。リンク情報１５９は、上記のように簡単なアドレス情報を記述するに過ぎない。そのため、ＳＩ情報１５５と比較してそのデータ量は小さくすることができる。また、１つの情報（リンク情報１５９）を多重するのみで、各番組はデータＥＳを共有することができるので、送信の周期も従来のＳＩ情報１５５に比べ長くすることができる。したがって、リンク情報２１４は、ＳＩ情報２０２に比べ、その送信に必要な帯域を広く必要とせず、結果、デジタル放送信号の再送信に必要な全体の帯域幅を削減できる。例えば地上デジタル放送の場合、ＥＩＴの最大送出レートや送出周期から計算して約１０％の帯域削減が可能である。
【００８８】
（実施の形態２）
本実施の形態によるデジタル放送再送信装置は、先の実施形態の再送信装置と同様の構成を備え、さらに、ＮＵＬＬパケット検出部を備える。ＮＵＬＬパケット検出部は、放送信号に含まれるＮＵＬＬパケットを検出することができる。検出したＮＵＬＬパケットをデータＥＳの多重に利用することにより、さらに、再送信信号の送信に必要な帯域幅を削減可能としている。
以下、実施の形態２による再送信装置について詳述する。なお、実施の形態１による再送信装置１００と同様の構成・処理・効果については、一部説明を省略する。
【００８９】
図６は、実施の形態２による再送信装置の構成を示すブロック図である。
【００９０】
図６において、再送信装置２００は、デジタル放送波を受信するチューナ部１０１と、デジタル放送信号に含まれるＳＩ情報を抽出するＳＩ抽出部１０３と、ＳＩ情報をＢＭＬ符号化するＳＩ−ＢＭＬ変換部１０５と、ＢＭＬ符号化ＳＩ情報をＥＰＧ情報として蓄積するＥＰＧ蓄積部１０７と、ＥＰＧ情報（ＢＭＬ符号化ＳＩ情報等）をＨＴＴＰで配信するＥＰＧ情報配信サーバ１０９と、ＰＭＴ情報を検出するＰＭＴ検出部１１１と、デジタル放送信号に含まれるＮＵＬＬパケットを検出するＮＵＬＬパケット検出部２０１と、リンク情報に関するデータを蓄積するＢＭＬデータ蓄積部１１５と、リンク情報を、デジタル放送信号に多重するデータ多重部１１３と、デジタル放送信号をＩＰパケット化し、ＩＰ網１１９へ再送信するＩＰ送信部１１７と、を有する。図１と同一の参照数字を付した構成要素は、実施の形態１におけるものと実質的に同一であってよい。これら同一の構成要素の、本実施形態における動作において実施の形態１と相違する点については、説明を以下に付し、同一の動作については、説明を簡略化する。
【００９１】
本実施形態のＮＵＬＬパケット検出部２０１は、デジタル放送再送信装置のＮＵＬＬパケット検出手段である。
【００９２】
これより、本実施形態による再送信装置２００の動作について説明する。先ず、概説すれば、再送信装置２００は、実施の形態１の再送信装置１００と同様に、デジタル放送信号に含まれるＳＩ情報を分離し、抽出し、抽出したＳＩ信号はＢＭＬ符号化してＥＰＧ情報としてＥＰＧ情報配信サーバ１０９に蓄積する。また、再送信されるデジタル放送信号からは、ＳＩ信号を取り除き、代わりにリンク情報を多重する。実施の形態１の再送信装置１００は、ＳＩ信号とリンク情報のデータ量の大小および送信周期の長短（送信頻度の多寡）に基づく帯域幅の削減を実現している。ここで、再送信装置２００と再送信装置１００の相違は、リンク情報の多重にＮＵＬＬパケットを利用する点である。そうすることで、本再送信装置２００は、実施の形態１の再送信装置１００との比較においてデジタル放送信号再送信に必要な帯域幅のさらなる削減を実現している。
【００９３】
図７は、再送信装置２００が、デジタル放送波を受信してから、ＩＰ網１１９へデジタル放送信号を再送信するまでの処理に関するフローチャートである。
【００９４】
実施の形態１の再送信装置１００と同様、チューナ部１０１は、デジタル放送波を受信し、デジタル放送信号をＳＩ抽出部１０３に送り（ステップＳ１０１）、ＳＩ抽出部１０３は、受けたデジタル放送信号のＰＩＤをチェックし、ＳＩ情報を分離し、抽出し、含まれるテーブルのバージョン情報を取得し（ステップＳ１２１）、バージョン情報に基づき、蓄積されているＥＰＧ情報の更新の必要があると判断した場合には、ＳＩ−ＢＭＬ変換部１０５にＳＩ情報を送り、ＥＰＧ蓄積部１０７は、更新されたデータを新たに蓄積し（ステップＳ１２３）、さらにＳＩ抽出部１０３は、ＳＩ情報の分離抽出過程を経たＴＳパケットをＰＭＴ検出部１１１に送り（ステップＳ１２５）、ＰＭＴ検出部１１１は、受けたＴＳパケットのＰＩＤをチェックしてＰＡＴを検出し、参照し、ＰＭＴのＰＩＤを取得し（ステップＳ１２７およびＳ１２９）、取得したＰＭＴのＰＩＤに基づいてＰＭＴを抽出し、そのＰＭＴに対し、後に追加されるデータＥＳのＰＩＤを追加し、データ符号化記述子の設定を行い、テーブル再構築を行い、ＴＳパケット化する（ステップＳ１３１およびＳ１３３）。
【００９５】
次に、ＰＭＴ検出部１１１は、ＮＵＬＬパケット検出部２０１へＴＳパケットを送る（ステップＳ２０５）。
【００９６】
ＴＳパケットを受けたＮＵＬＬパケット検出部２０１は、そのＴＳパケットがＮＵＬＬパケットを含むか否か判定する（ステップＳ２０７）。ＴＳパケットにＮＵＬＬパケットが含まれると判定された場合、ＴＳパケットは、データ多重部１１３に送られ、ステップＳ２１１に進む（ステップＳ２０９ａ）。ＴＳパケットにＮＵＬＬパケットが含まれていないと判定された場合、ＴＳパケットは、データ多重部１１３に送られ、ステップＳ１３９に進む（ステップＳ２０９ｂ）。
【００９７】
実施の形態１と同様、データ多重部１１３は所定の周期でデータＥＳをデジタル放送信号に多重するが、本実施形態においては、先にＮＵＬＬパケット検出部２０１の行ったＮＵＬＬパケット検出の結果に基づき、あらかじめＢＭＬデータ蓄積部１０３に蓄積しておいたリンク情報のデータＥＳを、検出されたＮＵＬＬパケットと置換するようにして、デジタル放送信号に多重する（ステップＳ２１１）。よってデータＥＳの多重処理は、ＮＵＬＬパケットとの置換処理になる。そのため、データＥＳ多重に必要な帯域を新たに必要とせず、再送信に必要な帯域幅はさらに削減されることになる。
【００９８】
さらに、データ多重部１１３は、上記処理と併せて、ＳＩ情報を分離し、更にデータＥＳを再多重しているため、ＰＣＲ補正処理を行う（ステップＳ１３９）。
【００９９】
データＥＳを多重し、ＰＣＲ補正処理を行ったＴＳパケットは、順次ＩＰ送信部１１７へ送られる（ステップＳ１４１）。
【０１００】
ＩＰ送信部１１７は、受けたＴＳパケット（デジタル放送信号）をＩＰパケット化し、ＩＰ網１１９へ再送信する（ステップＳ１４３）。
【０１０１】
以上の処理により地上デジタル放送を再送信した場合の帯域幅削減について図８を用いて説明する。
【０１０２】
図８は、上記処理により削減されるデジタル放送信号の帯域幅を示す模式図である。
チューナ部１０１の受信したデジタル放送信号（受信信号）２５１ａは、選局情報などのＰＳＩ情報１５３ａと、ＥＰＧ情報などのＳＩ情報１５５と、番組１５７ａ、１５７ｂ、  ．．．  、１５７ｎと、ＮＵＬＬパケット２０３を含む。他方、ＩＰ送信部１１７から再送信されるデジタル放送信号（再送信信号）２５１ｂは、先に示したとおりＰＭＴ情報が変更されたＰＳＩ情報１５３ｂと、受信信号１５１ａに含まれるものと同じ番組１５７ａ、１５７ｂ、  ．．．  、１５７ｎと、新たに多重処理したリンク情報１５９と、多重処理により短縮されたＮＵＬＬパケット２０３を含む。
【０１０３】
このように、本実施形態によるデジタル放送信号再送信では、先述の帯域幅削減効果と同様の効果を有し、さらに、リンク情報１５９のための帯域は、ＮＵＬＬパケット２０３のための帯域の一部を置換して利用するため、約１０％以上の帯域幅削減が可能である。
【０１０４】
（変形例）
図９は、本発明の実施形態によるデジタル放送再送信装置の変形例の構成を示すブロック図である。
先に説明した構成と同一の部分については説明を省略し、異なる構成・動作・効果について説明する。
【０１０５】
本変形例の再送信装置３００は、ＥＰＧ情報を蓄積するＥＰＧ蓄積部１０７とは別のＤＢを備えたＤＢ部３０１を有する。ＤＢ部３０１は、ＢＭＬ符号化されたポータルサービス提供のためのサービス情報を蓄積するポータルサイト情報蓄積部３０３を備える。
【０１０６】
ポータルサイト情報蓄積部３０３に蓄積されるサービス情報は、ＩＰ網を使って地上デジタル放送を再送信する事業者のホームページや、天気予報や地域情報、また実施の形態１に示したＥＰＧ情報へのリンクを持つポータルサイトの情報である。
【０１０７】
ＳＩ情報の抽出処理や、リンク情報の多重処理については、再送信装置３００は実施の形態１または２と同様の動作を行う。
【０１０８】
本変形例の再送信装置３００では、データ多重部１１３においてＴＳパケットに多重されるリンク情報は、先の実施形態のような情報に加え、例えばＢＭＬ文書で
ｂｒｏｗｓｅｒ．ｌａｕｎｃｈＤｏｃｕｍｅｎｔ（“ｈｔｔｐ：／／ｓｅｒｖｅｒアドレス／ｐｏｒｔａｌ／ｉｎｄｅｘ．ｂｍｌ”）
のように記述し、ポータルサイトの情報にアクセスするためのアドレスを記述すればよい。
【０１０９】
以上のように、本発明の実施の形態１または２にかかる変形例によるデジタル放送再送信装置３００は、地上デジタル放送をＩＰ網に再送信する際、ＥＰＧ情報であるＳＩ情報を抽出し、その代わりにサーバ上に配置したＥＰＧ情報へのリンク情報を多重することで再送信に必要な帯域を削減するとともに、地上デジタル放送の再送信を行う事業者がＥＰＧ情報やポータル情報といった番組関連情報を簡易な装置で配信可能とする。
【０１１０】
図１０は、本変形例によるポータルサイトのＳＴＢ（セット・トップ・ボックス）での表示例である。画面３０５内は複数の領域に区分けされ、番組視聴画面３０７を表示すると共に、ポータルサイトの情報３０９を表示することができる。
【０１１１】
なお、実施の形態１および２ならびにそれらの変形例において、ＥＰＧ蓄積部１０７に蓄積するＥＰＧ情報はすべて地上デジタル放送のデジタル放送信号から抽出したＳＩ情報から生成する場合の動作を示したが、地上デジタル放送を、ＩＰ網を使って再送信する事業者があらかじめ番組情報を入手しておき、手作業などによりＥＰＧ情報を構築し、ＤＢへ蓄積することもできる。
【０１１２】
また、実施の形態１および２ならびにそれらの変形例において、地上デジタル放送を再送信する場合の例を示したが、もちろん他のデジタル放送（例えばＢＳデジタル放送）などにも適用が可能である。
【０１１３】
また、受信機における番組表や関連情報の表示に際し、従来ＳＩ情報を用いた番組表表示フォーマットは受信機メーカーにより様々であったが、ＢＭＬ符号化された情報を元に表示を行うため、受信機メーカーによらず表示フォーマット等を共通化することができ、デジタル放送の再送信を行う事業者にとって、運用や加入者への取り扱い説明やアフターケアを容易にすることもできる。
【産業上の利用可能性】
【０１１４】
本発明に係るデジタル放送再送信装置は、地上デジタル放送などのデジタル放送を、ＩＰ網を使って再送信する場合に、再送信に必要な帯域を削減し、かつＥＰＧ情報といった番組編成情報や、ポータルサイトの情報といった番組関連情報等の情報提供が簡単に行える再送信装置として有用である。
【図面の簡単な説明】
【０１１５】
【図１】本発明の実施の形態１によるデジタル放送再送信装置のブロック図
【図２】本発明の実施の形態１によるＳＩ抽出処理のフローチャート
【図３】本発明の実施の形態１による信号再送信処理のフローチャート
【図４】本発明の実施の形態１によるＥＰＧ情報のＳＴＢでの表示例
【図５】本発明の実施の形態１による再送信時の帯域幅削減に関する概略的模式図
【図６】本発明の実施の形態２によるデジタル放送再送信装置のブロック図
【図７】本発明の実施の形態２による信号再送信処理のフローチャート
【図８】本発明の実施の形態２による再送信時の帯域幅削減に関する概略的模式図
【図９】本発明の変形例によるデジタル放送再送信装置の構成を示すブロック図
【図１０】本発明の実施の形態２におけるポータルサイトのＳＴＢでの表示例を示すイメージ図
【図１１】従来技術におけるＥＰＧ情報提供のためのシステム構成を示すブロック図
【符号の説明】
【０１１６】
１００  ・・・  再送信装置                １０１  ・・・  チューナ部
１０３  ・・・  ＳＩ抽出部                １０５  ・・・  ＳＩ−ＢＭＬ変換部
１０７  ・・・  ＥＰＧ蓄積部              １０９  ・・・  ＥＰＧ情報配信サーバ
１１１  ・・・  ＰＭＴ検出部              １１３  ・・・  データ多重部
１１５  ・・・  ＢＭＬデータ蓄積部        １１７  ・・・  ＩＰ送信部
１１９  ・・・  ＩＰ網                    １２１  ・・・  ＳＴＢ上の画面
１２３  ・・・  番組視聴画面              １２５  ・・・  ＥＰＧ情報
１５１ａ  ・・  受信信号                  １５１ｂ  ・・  再送信信号
１５３ａ  ・・  ＰＳＩ情報
１５３ｂ  ・・  ＰＭＴ情報が変更されたＰＳＩ情報
１５５  ・・・  ＳＩ情報                  １５７ａ〜ｎ・  番組
１５９  ・・・  リンク情報                ２００  ・・・  再送信装置
２０１  ・・・  ＮＵＬＬパケット検出部    ２０３  ・・・  ＮＵＬＬパケット
２５１ａ  ・・  受信信号                  ２５１ｂ  ・・  再送信信号
３００  ・・・  再送信装置                ３０１  ・・・  ＤＢ部
３０３  ・・・  ポータルサイト情報蓄積部  ３０５  ・・・  ＳＴＢ上の画面
３０７  ・・・  番組視聴画面              ３０９  ・・・  ポータルサイトの情報
【図１】
2007166409.tif 000003
【図２】
2007166409.tif 000004
【図３】
2007166409.tif 000005
【図４】
2007166409.tif 000006
【図５】
2007166409.tif 000007
【図６】
2007166409.tif 000008
【図７】
2007166409.tif 000009
【図８】
2007166409.tif 000010
【図９】
2007166409.tif 000011
【図１０】
2007166409.tif 000012
【図１１】
2007166409.tif 000013